(57)【要約】【課題】外部Ａからの泥水等に曝されやすい部分の軸周等を密封する密封装置１において、対油シールリップ１３の摺動部へ泥水等が侵入するのを極力防止し得る構造とする。【解決手段】非回転のハウジング２の開口端部２ａ内周面に取り付けられるオイルシール１０と、ハウジング２に挿通された回転体５にオイルシール１０の軸方向外側に位置して取り付けられるスリンガ２０とを備え、オイルシール１０に、回転体５の外周面に摺動可能に密接される対油シールリップ１３及び前記スリンガ２０と摺動可能に密接されるサイドリップ１５が形成された密封装置１において、ハウジング２の開口端部２ａより大径の前記スリンガ２０の外径部２２ａに、内周側へ折れ曲がった形状をなし前記サイドリップ１５の摺動部より外径側でハウジング２の外周面に密接される外部シールリップ２３が設けられている。【選択図】図１
0003138507.tif 000002
【実用新案登録請求の範囲】
【請求項１】
非回転のハウジングの開口端部内周面に取り付けられるオイルシールと、前記ハウジングに挿通された回転体に前記オイルシールの軸方向外側に位置して取り付けられるスリンガとを備え、前記オイルシールに、前記回転体の外周面に摺動可能に密接される対油シールリップ及び前記スリンガと摺動可能に密接されるサイドリップが形成された密封装置において、前記ハウジングの開口端部より大径の前記スリンガの外径部に、内周側へ折れ曲がった形状をなし前記サイドリップの摺動部より外径側で前記ハウジングの外周面に密接される外部シールリップが設けられたことを特徴とする密封装置。
【考案の詳細な説明】
【技術分野】
【０００１】
本考案は、車両のトランスファー装置や車輪軸受等、外部からの泥水等に曝されやすい部分の軸周等を密封する密封装置であって、特に、対油シールリップの摺動部へ泥水等が侵入するのを防止した構造を備えるものに関する。
【背景技術】
【０００２】
車両のトランスファー装置や車輪軸受等に用いられる密封装置は、外部から泥水等が飛来しやすいため、対油シールリップの摺動部へ泥水等が侵入するのを極力抑制して、対油シールリップにおける密封性の低下を可及的に防止する必要がある。図２は、従来技術によるこの種の密封装置の一例を、軸心Ｏを通る平面で切断して示す装着状態の半断面図である。
【０００３】
すなわち図２において、参照符号２はトランスファー装置のハウジング、参照符号３は前記ハウジング２に挿通され軸受４を介して軸心Ｏの周りに回転可能な状態に支持された回転軸、参照符号５はこの回転軸３の外周にスプライン嵌合されると共にナット６によって固定されたスリーブ、参照符号７は回転軸３とスリーブ５との間を密封するパッキンである。スリーブ５の端部に形成されたコンパニオンフランジ５ａは、不図示のプロペラシャフト等に結合される。
【０００４】
密封装置１００は、軸受４の軸方向外側に位置してハウジング２の内周に取り付けられた非回転のオイルシール１１０と、このオイルシール１１０の軸方向外側に位置してスリーブ５の外周に取り付けられ、回転軸３及びスリーブ５と一体に回転されるスリンガ１２０とを備える。
【０００５】
詳しくは、オイルシール１１０は、軸受４側を向いて延びる対油シールリップ１１１と、この対油シールリップ１１１と反対側（外側）を向いて延びるサイドリップ１１２とを有する。対油シールリップ１１１は、スリーブ５の外周面に摺動可能に密接されることによって、軸受４に供給される潤滑油の漏洩を防止するものであり、サイドリップ１１２は、スリンガ１２０のフランジ部１２１に摺動可能に密接されることによって、外部Ａから飛来する泥水等が、対油シールリップ１１１側へ侵入するのを防止するものであり、スリンガ１２０自体も、そのフランジ部１２１に生じる遠心力による振り切り作用を有し、更にその外径部１２２をハウジング２の端部に近接させ（例えば下記の特許文献１〜３参照）、あるいはスリンガ１２０の外径端部に、先端が大径となる円錐筒状のダストリップを設けてハウジング２の外径縁部に摺動可能に密接させることによって（例えば下記の特許文献４参照）、泥水等の侵入に対する防止効果の向上を図っている。
【０００６】
【特許文献１】特開２００６−９９３０号公報
【特許文献２】実開平５−５４８７１号公報
【特許文献３】実開平３−６７７６５号公報
【特許文献４】実公平７−３３０１７号公報
【０００７】
しかしながら、図２（特許文献１〜３）のような密封装置１００によれば、スリンガ１２０の外径部１２２とハウジング２の端部外周面との隙間を小さくすると、加工公差や回転軸３の偏心等によって、前記外径部１２２がハウジング２の端部外周面と接触するおそれがあるので、前記隙間を十分に小さくすることができず、したがって泥水等の侵入を十分に防ぐことができなかった。
【０００８】
また、特許文献４のように先端が大径となる円錐筒状のダストリップを設けた密封装置は、ダストリップの腹部がハウジング２の開口端部の外径縁に密接しているので、ハウジング２に対する十分な締め代が得られず、したがってこの場合も泥水等の侵入を十分に防ぐことができなかった。
【考案の開示】
【考案が解決しようとする課題】
【０００９】
本考案は、以上のような点に鑑みてなされたものであって、その技術的課題は、外部からの泥水等に曝されやすい部分の軸周等を密封する密封装置において、対油シールリップの摺動部へ泥水等が侵入するのを極力防止し得る構造とすることにある。
【課題を解決するための手段】
【００１０】
上述した技術的課題を有効に解決するための手段として、請求項１の考案に係る密封装置は、非回転のハウジングの開口端部内周面に取り付けられるオイルシールと、前記ハウジングに挿通された回転体に前記オイルシールの軸方向外側に位置して取り付けられるスリンガとを備え、前記オイルシールに、前記回転体の外周面に摺動可能に密接される対油シールリップ及び前記スリンガと摺動可能に密接されるサイドリップが形成された密封装置において、前記ハウジングの開口端部より大径の前記スリンガの外径部に、内周側へ折れ曲がった形状をなし前記サイドリップの摺動部より外径側で前記ハウジングの外周面に密接される外部シールリップが設けられたものである。
【考案の効果】
【００１１】
本考案に係る密封装置によれば、ハウジングの外周面に密接される外部シールリップによって、サイドリップの摺動部ひいては対油シールリップの摺動部側への泥水の侵入を有効に防止することができる。そして、外部シールリップは、ハウジングの開口端部より大径のスリンガの外径部に設けられて、内周側へ折れ曲がった形状をなしていることによって、ハウジングの外周面に対する十分な締め代を設定できるので、対泥水シール機能を向上させることができる。
【考案を実施するための最良の形態】
【００１２】
以下、本考案に係る密封装置の実施の形態について、図面を参照しながら説明する。まず図１は、本考案に係る密封装置の好ましい形態を、軸心Ｏを通る平面で切断して示す装着状態の半断面図である。
【００１３】
この図１において、参照符号２は車両におけるトランスファー装置の非回転のハウジング、参照符号３は前記ハウジング２に挿通され軸受４を介して軸心Ｏの周りに回転可能な状態に支持された回転軸、参照符号５は、ハウジング２の開口端部２ａの内周側に位置して回転軸３に外挿されたスリーブである。なお、回転軸３及びスリーブ５は、請求項１に記載された回転体に相当する。
【００１４】
スリーブ５は、その内周面に形成されたスプライン部５ｂが回転軸３の外周面に形成されたスプライン部３ａと互いに嵌合されると共に、それより軸方向外側に位置して回転軸３の外周面に形成された雄螺子部３ｂに螺合したナット６によって、先端が軸受４の内輪に当接された状態で軸方向に固定されている。回転軸３とスリーブ５との間は、スプライン部３ａ，５ｂの嵌合部より軸方向外側に位置して介装されると共に前記ナット６によって抜け止めされたパッキン７によって密封されている。また、スリーブ５の外端部にはコンパニオンフランジ５ａが形成されており、不図示のプロペラシャフト等に結合される。
【００１５】
参照符号１は、本考案に係る密封装置で、ハウジング２の開口端部２ａの内周面に取り付けられたオイルシール１０と、回転軸３に外挿したスリーブ５の外周面に前記オイルシール１０の軸方向外側に位置して取り付けられたスリンガ２０とを備える。
【００１６】
オイルシール１０は、金属板を打ち抜きプレス成形することにより製作された補強環１１にゴム状弾性材料で一体に成形したものであって、ハウジング２の開口端部２ａの内周面に圧入嵌着される外周シール部１２と、前記補強環１１の内径位置から軸受４側へ延び、その先端近傍の内周部がスリーブ５の外周面に摺動可能に密接される対油シールリップ１３と、前記補強環１１の内径位置から対油シールリップ１３と反対側へ延び、その先端内周がスリーブ５の外周面に近接対向又は摺動可能に密接されるダストリップ１４と、このダストリップ１４の根元の外周側から対油シールリップ１３と反対側へ、かつ先端が大径となるような円錐筒状をなして延びるサイドリップ１５とを備える。対油シールリップ１３にはその緊迫力を補償するガータスプリング１６が嵌着されている。
【００１７】
一方、スリンガ２０は金属板を打ち抜きプレス成形することにより製作されたものであって、スリーブ５の外周面に圧入嵌着される内径筒部２１と、この内径筒部２１から外径方向へ円盤状に展開してオイルシール１０のサイドリップ１５の先端部と摺動可能に密接されるシールフランジ部２２とを有する。
【００１８】
スリンガ２０のシールフランジ部２２の外径は、ハウジング２の開口端部２ａの外径よりも大きく、このシールフランジ部２２の外径部２２ａには、ゴム状弾性材料からなる外部シールリップ２３が一体的に設けられている。この外部シールリップ２３は、根元２３ａが前記シールフランジ部２２の外径部２２ａに加硫接着され、腰部２３ｂにおいて内周側へ傾斜するように折れ曲がった断面形状をなし、先端部２３ｃが、前記シールフランジ部２２に対するオイルシール１０のサイドリップ１５の摺動部より外径側でハウジング２の開口端部２ａの外周面に摺動可能に密接されるものである。
【００１９】
以上のように構成された本考案の密封装置１において、オイルシール１０は、外周シール部１２をハウジング２の開口端部２ａの内周面に圧入することによって、ハウジング２に位置決め固定する。一方、スリンガ２０は、内径筒部２１をスリーブ５の外周面に圧入嵌着すると共にこのスリーブ５の外周面に形成された段差面５ｃに当接させることによって、スリーブ５に位置決め固定してから、スリーブ５を回転軸３に外挿して固定することによって、図示の装着状態となる。
【００２０】
オイルシール１０の対油シールリップ１３は、スリーブ５の外周面に摺動可能に密接されることによって、軸受４に供給される潤滑油がスリーブ５の外周から外部Ａへ漏洩するのを防止するものである。また、オイルシール１０のサイドリップ１５は、回転するスリンガ２０のシールフランジ部２２との密接摺動部において、遠心力によるシールフランジ部２２の振り切り作用によって、内周側への泥水等の侵入を阻止するものであり、オイルシール１０のダストリップ１４は、サイドリップ１５の内周側で、スリーブ５の外周面に近接対向又は摺動可能に密接されることによって、対油シールリップ１３側への泥水等の侵入を阻止するものである。
【００２１】
そして、これら対油シールリップ１３、ダストリップ１４及びサイドリップ１５の密接摺動部より外側では、ハウジング２の開口端部２ａの外周面に外部シールリップ２３が密接されているので、外部Ａから飛来する泥水等がサイドリップ１５の密接摺動部へ侵入するのを有効に防止することができる。そして万一、外部シールリップ２３の密接摺動部を通過する泥水等があってもその量は極めて僅かであり、しかもこのような泥水等は、サイドリップ１５とシールフランジ部２２の密接摺動部において、先に説明した振り切り作用によって内周側への侵入を阻止され、更にその内側にもダストリップ１４が存在しているため、対油シールリップ１３とスリーブ５との密接摺動部への泥水や異物の介入による早期摩耗を有効に防止し、優れた対油シール性を維持することができる。
【００２２】
また、外部シールリップ２３は、ハウジング２の開口端部２ａより大径のスリンガ２０のシールフランジ部２２の外径部２２ａに設けられた腰部２３ｂから内周側へ折れ曲がった形状をなしていることによって、前記開口端部２ａの外周面に対する十分な締め代を設定できるので、優れた対泥水シール性が得られる。
【図面の簡単な説明】
【００２３】
【図１】本考案に係る密封装置の好ましい形態を、軸心Ｏを通る平面で切断して示す装着状態の半断面図である。
【図２】従来技術による密封装置の一例を、軸心Ｏを通る平面で切断して示す装着状態の半断面図である。
【符号の説明】
【００２４】
１  密封装置
２  ハウジング
２ａ  開口端部
３  回転軸（回転体）
５  スリーブ（回転体）
１０  オイルシール
１３  対油シールリップ
１４  ダストリップ
１５  サイドリップ
２０  スリンガ
２２  シールフランジ部
２２ａ  外径部
２３  外部シールリップ
【図１】
0003138507.tif 000003
【図２】
0003138507.tif 000004